【手続補正書】
【提出日】平成27年3月25日(2015.3.25)
【手続補正１】
【補正対象書類名】明細書
【補正対象項目名】００１４
【補正方法】変更
【補正の内容】
【００１４】
上記目的を達成するために、請求項１の画像形成装置は、ＣＰＵを有し、外部装置と通信を行う通信部と、画像形成装置を制御するとともに、通常モード又は当該通常モードより消費電力が少ない省電力モードで動作する主制御部と、前記主制御部及び前記通信部に電力を供給する電源制御部とを備えた画像形成装置であって、前記主制御部が前記通常モードで動作していない状態で通信を制御する第１動作モードで前記ＣＰＵが動作するように、前記通信部を制御する第１通信部制御手段と、前記通信部が前記第１動作モードで動作している状態で、前記外部装置から前記画像形成装置の起動が指示されると、前記電源制御部に前記主制御部を前記通常モードで動作させるための電力を供給するように指示する供給指示手段と、前記供給指示手段により前記主制御部を前記通常モードで動作させるための電力を供給するように指示されると、メモリからファームウェアをロードすることによって前記ＣＰＵの動作が前記第１動作モードから第２動作モードに移行するように通信部を制御し、前記第２動作モードは前記主制御部が前記通常モードで動作している状態で通信を制御する第２通信部制御手段とを備えたことを特徴とする。
【手続補正２】
【補正対象書類名】明細書
【補正対象項目名】００５１
【補正方法】変更
【補正の内容】
【００５１】
通信制御ユニットＣＰＵ２０１は、ＮＶメモリ２０８から問い合わせ先サーバ（外部装置）のアドレスを読み出す（ステップＳ４１１）。そして、画像形成装置１００を起動させるべきかを問い合わせ（ステップＳ４１３）、問い合わせ先サーバからの回答を受信する（ステップＳ４１５）。
【手続補正３】
【補正対象書類名】特許請求の範囲
【補正対象項目名】全文
【補正方法】変更
【補正の内容】
【特許請求の範囲】
【請求項１】
ＣＰＵを有し、外部装置と通信を行う通信部と、
画像形成装置を制御するとともに、通常モード又は当該通常モードより消費電力が少ない省電力モードで動作する主制御部と、
前記主制御部及び前記通信部に電力を供給する電源制御部とを備えた画像形成装置であって、
前記主制御部が前記通常モードで動作していない状態で通信を制御する第１動作モードで前記ＣＰＵが動作するように、前記通信部を制御する第１通信部制御手段と、
前記通信部が前記第１動作モードで動作している状態で、前記外部装置から前記画像形成装置の起動が指示されると、前記電源制御部に前記主制御部を前記通常モードで動作させるための電力を供給するように指示する供給指示手段と、
前記供給指示手段により前記主制御部を前記通常モードで動作させるための電力を供給するように指示されると、メモリからファームウェアをロードすることによって前記ＣＰＵの動作が前記第１動作モードから第２動作モードに移行するように通信部を制御し、前記第２動作モードは前記主制御部が前記通常モードで動作している状態で通信を制御する第２通信部制御手段と
を備えたことを特徴とする画像形成装置。
【請求項２】
前記供給指示手段により前記主制御部を前記通常モードで動作させるための電力を供給するように指示されると、前記主制御部が正常に動作しているか否かを監視する監視手段を備え、
前記監視手段が前記主制御部が正常に動作していると判別したときには、前記第２通信部制御手段は、前記ＣＰＵの動作が前記第１動作モードから前記第２動作モードに移行するように前記通信部を制御し、前記主制御部が正常に動作していないと判別されたときには、前記供給指示手段は、前記電源制御部に前記主制御部への電力の供給を禁止するように指示することを特徴とする請求項１記載の画像形成装置。
【請求項３】
前記主制御部が前記通常モードで動作していない状態は、前記省電力モードで動作している状態であることを特徴とする請求項１又は２記載の画像形成装置。
【請求項４】
前記主制御部が前記通常モードで動作していない状態は、前記画像形成装置に電力が供給されてから前記通常モードで動作するまでの状態であることを特徴とする請求項１又は２記載の画像形成装置。
【請求項５】
前記第１通信部制御手段は、前記ＣＰＵが第１ファームウェアに従って前記第１動作モードで動作するように前記通信部を制御し、
前記第２通信部制御手段は、前記ＣＰＵの動作が、前記第１ファームウェアとは異なる第２ファームウェアに従って、前記第１動作モードから前記第２動作モードに移行するように前記通信部を制御することを特徴とする請求項１乃至４のいずれか１項に記載の画像形成装置。
【請求項６】
前記第１ファームウェアを記憶する第１メモリと、前記第２ファームウェアを記憶する第２メモリとを備えることを特徴とする請求項５記載の画像形成装置。
【請求項７】
タイマー割り込み回路を備え、前記第１動作モードにおいて、前記タイマー割り込み回路の動作に従って電力が断続的に前記第１通信部制御手段に供給されることを特徴とする請求項１乃至６のいずれか１項に記載の画像形成装置。
【請求項８】
前記外部装置からの前記画像形成装置の起動の指示は、リモートオン指示であることを特徴とする請求項１乃至７のいずれか１項に記載の画像形成装置。
【請求項９】
ＣＰＵを有し、外部装置と通信を行う通信部と、画像形成装置を制御するとともに、通常モード又は当該通常モードより消費電力が少ない省電力モードで動作する主制御部と、前記主制御部及び前記通信部に電力を供給する電源制御部とを備えた画像形成装置の制御方法であって、
前記主制御部が前記通常モードで動作していない状態で通信を制御する第１動作モードで前記ＣＰＵが動作するように、前記通信部を制御する第１通信部制御ステップと、
前記通信部が前記第１動作モードで動作している状態で、前記外部装置から前記画像形成装置の起動が指示されると、前記電源制御部に前記主制御部を前記通常モードで動作させるための電力を供給するように指示する供給指示ステップと、
前記供給指示ステップにより前記主制御部を前記通常モードで動作させるための電力を供給するように指示されると、メモリからファームウェアをロードすることによって前記ＣＰＵの動作が前記第１動作モードから第２動作モードに移行するように通信部を制御し、前記第２動作モードは前記主制御部が前記通常モードで動作している状態で通信を制御する第２通信部制御ステップと
を備えたことを特徴とする制御方法。
【請求項１０】
ＣＰＵを有し、外部装置と通信を行う通信部と、画像形成装置を制御するとともに、通常モード又は当該通常モードより消費電力が少ない省電力モードで動作する主制御部と、前記主制御部及び前記通信部に電力を供給する電源制御部とを備えた画像形成装置の制御方法をコンピュータに実行させるためのプログラムであって、
前記制御方法は、
前記主制御部が前記通常モードで動作していない状態で通信を制御する第１動作モードで前記ＣＰＵが動作するように、前記通信部を制御する第１通信部制御ステップと、
前記通信部が前記第１動作モードで動作している状態で、前記外部装置から前記画像形成装置の起動が指示されると、前記電源制御部に前記主制御部を前記通常モードで動作させるための電力を供給するように指示する供給指示ステップと、
前記供給指示ステップにより前記主制御部を前記通常モードで動作させるための電力を供給するように指示されると、メモリからファームウェアをロードすることによって前記ＣＰＵの動作が前記第１動作モードから第２動作モードに移行するように通信部を制御し、前記第２動作モードは前記主制御部が前記通常モードで動作している状態で通信を制御する第２通信部制御ステップと
を備えたことを特徴とするプログラム。